(57)【特許請求の範囲】
【請求項１】
表示面上にタッチパネルが配置されたタッチパネル付き表示装置を、収納する展開可能な箱状の本体を有し、
前記本体は、
透過性を有し、前記本体の外側からの前記タッチパネルに対する操作を可能に前記タッチパネルに対して積層される正面壁部と、
背壁部と、
前記正面壁部の上縁部と前記背壁部の上縁部とを接続し、前記正面壁部と前記背壁部とに対して揺動可能な上壁部と、
前記正面壁部の側縁部と前記背壁部の側縁部とを接続した一対の側壁部と、
を有し、
前記側壁部は、
前記正面壁部の側縁部に接続され前記正面壁部に対して揺動可能な第一シート部と、
吸着面を有して前記背壁部の側縁部に接続され前記背壁部に対して揺動可能な第二シート部と、
を有し、
前記吸着面は、前記第一シート部に積層されて前記第一シート部に吸着し、
前記第一シート部と前記第二シート部とは、前記上壁部から分離され、
前記正面壁部は、物体に吸着によって張り付く吸着面を有する吸着シートによって形成されており、前記吸着シートの前記吸着面が前記本体の内面を構成し、
前記背壁部と前記上壁部と前記一対の側壁部とが前記タッチパネル付き表示装置から離間した状態で、前記吸着シートの前記吸着面の吸着力によって前記正面壁部が前記タッチパネルに対して固定される表示装置用カバー。
【請求項２】
前記本体は、前記タッチパネル付き表示装置が挿脱される挿脱口が下面に設けられた請求項１に記載の表示装置用カバー。
【請求項３】
前記正面壁部は、保護シートを介して前記タッチパネルに積層される請求項１または２に記載の表示装置用カバー。
【請求項４】
表示面上にタッチパネルが配置されたタッチパネル付き表示装置と、
前記タッチパネル付き表示装置を収納した請求項１ないし３のいずれか一項に記載の表示装置用カバーと、
を備えるカバー付き表示装置。
【請求項５】
請求項４に記載のカバー付き表示装置を備えたラベルプリンタ。
【発明の詳細な説明】
【技術分野】
【０００１】
本発明の実施形態は、表示装置用カバー、カバー付き表示装置およびラベルプリンタに関する。
【背景技術】
【０００２】
従来より、表示面上にタッチパネルが配置されたタッチパネル付き表示装置がある。
【発明の概要】
【発明が解決しようとする課題】
【０００３】
タッチパネル付き表示装置では、埃や油分等の異物が付着するのを抑制することが望まれている。
【課題を解決するための手段】
【０００４】
実施形態の表示装置用カバーは、表示面上にタッチパネルが配置されたタッチパネル付き表示装置を、収納する展開可能な箱状の本体を有し、前記本体は、透過性を有し、前記本体の外側からの前記タッチパネルに対する操作を可能に前記タッチパネルに対して積層される正面壁部と、背壁部と、前記正面壁部の上縁部と前記背壁部の上縁部とを接続し、前記正面壁部と前記背壁部とに対して揺動可能な上壁部と、前記正面壁部の側縁部と前記背壁部の側縁部とを接続した一対の側壁部と、を有し、前記側壁部は、前記正面壁部の側縁部に接続され前記正面壁部に対して揺動可能な第一シート部と、吸着面を有して前記背壁部の側縁部に接続され前記背壁部に対して揺動可能な第二シート部と、を有し、前記吸着面は、前記第一シート部に積層されて前記第一シート部に吸着し、前記第一シート部と前記第二シート部とは、前記上壁部から分離された。前記正面壁部は、物体に吸着によって張り付く吸着面を有する吸着シートによって形成されており、前記吸着シートの前記吸着面が前記本体の内面を構成し、前記背壁部と前記上壁部と前記一対の側壁部とが前記タッチパネル付き表示装置から離間した状態で、前記吸着シートの前記吸着面の吸着力によって前記正面壁部が前記タッチパネルに対して固定される。
【図面の簡単な説明】
【０００５】
【図１】図１は、第１実施形態にかかるラベルプリンタの斜視図である。
【図２】図２は、第１実施形態にかかるカバー付き表示装置の斜視図である。
【図３】図３は、第１実施形態にかかるカバー付き表示装置の分解斜視図である。
【図４】図４は、図２のIV-IV断面図である。
【図５】図５は、第２実施形態にかかるカバー付き表示装置を示す斜視図である。
【図６】図６は、第２実施形態にかかるカバー付き表示装置の斜視図であって、表示装置用カバーを展開した状態を示す図である。
【図７】図７は、第２実施形態にかかる表示装置用カバーの本体の展開状態を示す図であって、本体の内面を示す図である。
【発明を実施するための形態】
【０００６】
以下に添付図面を参照して、実施形態にかかるラベルプリンタを詳細に説明する。
【０００７】
（第１実施形態）
まずは、第１実施形態を図１ないし図４を参照して説明する。
【０００８】
図１に示すように、ラベルプリンタ１は、ラベル２を印字発行するプリンタ本体１０と、プリンタ本体１０の上方に配置されたカバー付き表示装置１１と、を備えている。プリンタ本体１０の上面には、キーボード１２が設けられている。また、プリンタ本体１０の正面下部には、商品を載せて商品の重量を計測する計量秤１３が連設されている。このラベルプリンタ１では、プリンタ本体１０が、商品に関連する情報をラベル２に印字し、印字後のラベル２を発行する。カバー付き表示装置１１は、ラベル２に印字する情報等を表示する。
【０００９】
次に、カバー付き表示装置１１について詳細に説明する。図２および図３に示すように、カバー付き表示装置１１は、タッチパネル付き表示装置２０と、タッチパネル付き表示装置２０を収納した表示装置用カバー２１と、を備えている。カバー付き表示装置１１は、プリンタ本体１０の上部に連結機構（図示せず）によって連結されている。
【００１０】
タッチパネル付き表示装置２０は、略直方体状の表示装置２２と、この表示装置２２の表示面２２ａ上に配置されたタッチパネル２３と、を備えている。タッチパネル付き表示装置２０は、下部から延出した電線（図示せず）を介してプリンタ本体１０と接続されている。
【００１１】
表示装置２２は、例えば液晶表示装置である。表示装置２２は、略直方体状の筐体２２ｂと、この筐体２２ｂから露出した表示面２２ａと、を備えている。筐体２２ｂの正面壁部２２ｃには、開口２２ｄが形成されており、この開口２２ｄから表示面２２ａが露出している。タッチパネル付き表示装置２０の背面である表示装置２２の背面２２ｅ（図４）には、表示装置２２の表示の明るさ等を調整するための各種の調整ボタン（図示せず）が設けられている。
【００１２】
タッチパネル２３は、本実施形態では、感圧式である。タッチパネル２３は、操作面２３ａに対して、操作者の指等による操作（押圧操作）がなされる。操作面２３ａには、透過性を有する保護シート２４が積層されている。保護シート２４は、吸着や接着等によってタッチパネル２３の操作面２３ａに張り付いている。保護シート２４は、タッチパネル付き表示装置２０に含まれる。
【００１３】
表示装置用カバー２１は、タッチパネル付き表示装置２０を収納した本体２１ａからなっている。本体２１ａは、略直方体状の箱状に形成されているとともに、その下面２１ｉに挿脱口２１ｃが設けられている。詳細には、本体２１ａは、タッチパネル保護壁部としての正面壁部２１ｄと、背壁部２１ｅと、上壁部２１ｆと、左右一対の側壁部２１ｇと、を備えている。背壁部２１ｅは、正面壁部２１ｄに間隔をあけて正面壁部２１ｄに対向して配置されている。背壁部２１ｅの上縁部は、上壁部２１ｆによって正面壁部２１ｄの上縁部に接続され、背壁部２１ｅの左右の側縁部は、左右一対の側壁部２１ｇによって、正面壁部２１ｄの左右の側縁部に接続されている。挿脱口２１ｃは、タッチパネル付き表示装置２０が挿脱される開口である。また、この挿脱口２１ｃには、タッチパネル付き表示装置２０とプリンタ本体１０とを接続した電線が挿入されている。
【００１４】
正面壁部２１ｄは、透過性および弾性を有しており、本体２１ａの外側からのタッチパネル２３に対する操作を可能にタッチパネル２３に対して積層されている。正面壁部２１ｄは、保護シート２４を介して表示面２２ａに積層されている。正面壁部２１ｄが、透過性を有していることにより、表示面２２ａに表示された画像をユーザが見ることができる。正面壁部２１ｄは、無色透明な吸着シートによって形成されている。吸着シートは、物体に吸着によって張り付く吸着面２１ｈ（図４）を有したシート（自己吸着シート）である。吸着シートは、物体に対する張り付きと剥がしとを繰り返し行える。正面壁部２１ｄでは、吸着面２１ｈが本体２１ａの内面を構成している。このような正面壁部２１ｄは、保護シート２４に吸着によって張り付いている。なお、タッチパネル２３に対する正面壁部２１ｄの積層は、保護シート２４を介した積層に限るものではなく、保護シート２４を介すことなく、タッチパネル２３に正面壁部２１ｄを直接積層したものであっても良い。
【００１５】
本体２１ａの背壁部２１ｅ、上壁部２１ｆおよび左右一対の側壁部２１ｇは、透過性を有するＰＥＴ（ポリエチレンテレフタレート）によって形成されている。これらの各壁部（背壁部２１ｅ、上壁部２１ｆおよび左右一対の側壁部２１ｇ）は、一体成形品であっても良いし、別部品であっても良い。別部品の場合には、各壁部を製造した後に、各壁部を相互に接着や溶着等によって接合して組み立てれば良い。これらの各壁部（背壁部２１ｅ、上壁部２１ｆおよび左右一対の側壁部２１ｇ）への正面壁部２１ｄの接合は、接着や溶着等によって行われている。
【００１６】
以上の構成の表示装置用カバー２１をタッチパネル付き表示装置２０に取り付けるには、ユーザは、タッチパネル付き表示装置２０に表示装置用カバー２１を被せて、正面壁部２１ｄを保護シート２４に張り付ける。これにより、表示装置用カバー２１にタッチパネル付き表示装置２０が収納される。このとき、本実施形態では、背壁部２１ｅと、上壁部２１ｆと、左右一対の側壁部２１ｇとは、タッチパネル付き表示装置２０から離間している。即ち、本実施形態では、正面壁部２１ｄの吸着力によって表示装置用カバー２１がタッチパネル付き表示装置２０に固定される。なお、表示装置用カバー２１にタッチパネル付き表示装置２０が収納された状態で、背壁部２１ｅと、上壁部２１ｆと、左右一対の側壁部２１ｇとのいずれか又は全てが、タッチパネル付き表示装置２０に当接するようにしても良い。
【００１７】
以上説明したとおり、本実施形態の表示装置用カバー２１は、タッチパネル付き表示装置２０を収納する本体２１ａと、透過性を有して前記本体を構成するタッチパネル保護壁部としての正面壁部２１ｄと、を備え、正面壁部２１ｄが、本体２１ａの外側からのタッチパネル２３に対する操作を可能にタッチパネル２３に対して積層される。したがって、本実施形態の表示装置用カバー２１によれば、タッチパネル２３への操作が可能な状態で、タッチパネル付き表示装置２０に埃や油分などの異物が付着することを抑制することができる。ここで、ラベルプリンタ１の設置場所で油分がある場所の一例としては、食品加工場である。
【００１８】
また、本実施形態では、本体２１ａの下面２１ｉには、タッチパネル付き表示装置２０が挿脱される挿脱口２１ｃが形成されているので、ユーザは、タッチパネル付き表示装置２０に対する表示装置用カバー２１の着脱を挿脱口２１ｃを介して容易に行うことができる。このように、タッチパネル付き表示装置２０に対する表示装置用カバー２１の着脱が容易であるので、タッチパネル付き表示装置２０が備える各種の調整ボタンにユーザが容易にアクセスして調整作業をすることができる。
【００１９】
また、本実施形態では、タッチパネル保護壁部としての正面壁部２１ｄが、吸着シートによって形成されているので、ユーザは、タッチパネル付き表示装置２０に対する正面壁部２１ｄの張り付けおよび剥離を容易に行うことができる。
【００２０】
（第２実施形態）
次に、第２実施形態を図５ないし図７を参照して説明する。なお、第１実施形態と同様の要素には同一符号を付与し、重複する説明は省略する。
【００２１】
本実施の形態は、基本的には第１実施形態と同じであるが、表示装置用カバー２１Ａが第１実施形態の表示装置用カバー２１と異なる。
【００２２】
本実施形態の表示装置用カバー２１Ａの本体２１ａＡは、図５に示すように、基本的な形状は第１実施形態の表示装置用カバー２１と同じであるが、図６および図７に示すように、展開可能な箱状に形成されている点が第１実施形態の表示装置用カバー２１と異なる。
【００２３】
本体２１ａＡの左右一対の側壁部２１ｇＡは、それぞれ、正面壁部２１ｄの側縁部に接続された第一シート部２１ｊと、背壁部２１ｅの側縁部に接続された第二シート部２１ｋと、を備えている。第一シート部２１ｊの外面に第二シート部２１ｋの内面が重複した状態で、第一シート部２１ｊに第二シート部２１ｋが積層されている。第二シート部２１ｋは、吸着シートによって形成されており、その吸着面２１ｍが第二シート部２１ｋの内面を構成している。そして、第二シート部２１ｋは、吸着面２１ｍによって第一シート部２１ｊに吸着して張り付いている。これらの第一シート部２１ｊおよび第二シート部２１ｋは、上壁部２１ｆから分離されている。なお、第一シート部２１ｊと第二シート部２１ｋとの接合手段は、吸着シートに限るものではなく、例えば面ファスナー等であっても良い。
【００２４】
本体２１ａＡにおける各壁部（正面壁部２１ｄ、背壁部２１ｅ、上壁部２１ｆ、左右一対の側壁部２１ｇＡ）間の接合部は、各壁部を揺動可能に接続したヒンジ部２１ｎとなっている。したがって、正面壁部２１ｄに対して上壁部２１ｆと一対の第一シート部２１ｊとが揺動可能であり、上壁部２１ｆに対して背壁部２１ｅが揺動可能であり、背壁部２１ｅに対して一対の第二シート部２１ｋが揺動可能となっている。これにより、本体２１ａＡが展開および組み立て可能となっている。なお、本体２１ａＡは、これまで説明したように、その各壁部（正面壁部２１ｄ、背壁部２１ｅ、上壁部２１ｆ、左右一対の側壁部２１ｇＡ）がすべて展開可能な構造であっても良いし、その一部、例えば背壁部２１ｅおよび第２のシート部２１ｊだけが展開可能な構造（図６に示す展開状態を有する構造）であっても良い。
【００２５】
以上の構成の表示装置用カバー２１Ａをタッチパネル付き表示装置２０に取り付ける際には、ユーザは、本体２１ａＡを展開状態として、正面壁部２１ｄをタッチパネル付き表示装置２０の正面（保護シート２４）に張り付けることができる。その後、ユーザは、各壁部を折り曲げて（揺動させて）、本体２１ａＡを組み立てることで、表示装置用カバー２１Ａをタッチパネル付き表示装置２０に取り付けることができる。
【００２６】
以上説明したとおり、本実施形態では、表示装置用カバー２１Ａの本体２１ａＡが、展開可能な箱状に形成されているので、比較的に容易に、正面壁部２１ｄをタッチパネル付き表示装置２０の正面（保護シート２４）に張り付けることができる。
【００２７】
なお、上記の各実施形態では、タッチパネル付き表示装置として、据え置き型のものを例に説明したが、これに限るものではなく、タッチパネル付き表示装置としては、携帯型の端末が備えるタッチパネル付き表示装置であっても良い。
【００２８】
以上説明したとおり、第１および第２実施形態によれば、タッチパネル付き表示装置に埃や油分等の異物が付着するのを抑制することができる。
【符号の説明】
【００２９】
１…ラベルプリンタ
１１…カバー付き表示装置
２０…タッチパネル付き表示装置
２１，２１Ａ…表示装置用カバー
２１ａ，２１ａＡ…本体
２１ｃ…挿脱口
２１ｄ…正面壁部（タッチパネル保護壁部）
２１ｅ…背壁部
２１ｆ…上壁部
２１ｇＡ…側壁部
２１ｈ…吸着面
２１ｉ…下面
２１ｊ…第一シート部
２１ｋ…第二シート部
２１ｍ…吸着面
２２ａ…表示面
２３…タッチパネル
２４…保護シート 
【先行技術文献】
【特許文献】
【００３０】
【特許文献１】特開２００５−２４２４２３公報
【図１】
0005400000.tif 000002
【図２】
0005400000.tif 000003
【図３】
0005400000.tif 000004
【図４】
0005400000.tif 000005
【図５】
0005400000.tif 000006
【図６】
0005400000.tif 000007
【図７】
0005400000.tif 000008